(57)【特許請求の範囲】
【請求項１】
デンタルフロスふた区画室を有する口腔衛生ケースであって、
閉じているかまたは通常のふたを有する下部（１−Ａ）、広告のためのスペースと蛇腹（１−Ｂ）を有する中央部、および本体（１）と大体同じ寸法と断面の開いた口（１−Ｃ）を有する上部、を有する多角柱状もしくは筒状またはこれらの組合せの本体（１）、ならびに、ケース本体（１）と大体同じ寸法と断面のデンタルフロスふた区画室（２）からなり、
この区画室（２）が、フレーム（２−Ａ）、ベース（２−Ｂ）及びふた（２−Ｃ）を有し、
前記フレーム（２−Ａ）は、止め具（２−Ａ−４）によって開いた口（１−Ｃ）に取り付けられる大体同じ形状であり、フレーム（２−Ａ）の縦方向の手前側において取っ手（２−Ａ−１−Ａ）を有するリング（２−Ａ−１）を有し、フレーム（２−Ａ）の縦方向の奥側に、ベース（２−Ｂ）のフラップ（２−Ｂ−２）に対する第１のヒンジをなす、フラップ（２−Ａ−２）を有し、
多角柱状もしくは筒状またはこれらの組合せの前記ベース（２−Ｂ）は、これを開いた状態で、底部が閉じており、頂部が開いていて、前記底部の中心に上方に突出され固定された取り付けスプール管（２−Ｂ−１）を有し、さらにベース（２−Ｂ）の前記第１のヒンジの反対側において第２のヒンジをなす、ふた（２−Ｃ）のフラップ（２−Ｃ−１）に連結されたフラップ（２−Ｂ−３）を有し、
また、ふた（２−Ｃ）が、ベース（２−Ｂ）と大体同じ形であり、デンタルフロスクロッシング（２−Ｂ−４）のための開口、およびナイフ（４）の取り付けのための開口（２−Ｂ−５）を備え、
ふた（２−Ｃ）が、フラップ（２−Ｃ−１）に連結されたフラップ（２−Ｂ−３）によってベース（２−Ｂ）に連結され、ケースの内部に横方向に配置されている二つのガイド（２−Ｃ−２）を有し、
前記区画室（２）は、スプール（３）を有しており、
ふた（２−Ｃ）を前記第２のヒンジにより曲げてベース（２−Ｂ）の頂部を覆って閉じ、さらに、ベース（２−Ｂ）を前記第１のヒンジにより曲げて本体（１）の開いた口（１−Ｃ）を覆い、デンタルフロスふた区画室（２）が本体と区画されている
ことを特徴とする口腔衛生ケース。
【発明の詳細な説明】
【技術分野】
【０００１】
本発明は、デンタルフロスふた区画室を有する口腔衛生ケースに関する。当該口腔衛生ケースは、完全に新しいものであり、ふたに取り付けられた、デンタルフロスまたはリボンを保持する区画室を有し、また本体内に歯ブラシまたは練り歯磨きを保持する。当該口腔衛生ケースは、機能性と先進の設計とを有し、また、使用のためのケース内へのアクセスのためのデンタルフロスハウジングの開口、長さと内部容積の可変性、吊るすための付属品を有する。本発明は、その主要概念において独特のものであり、この主要概念は、デンタルフロスまたはリボン、練り歯磨きおよび歯ブラシ製品の収納寸法を小さくし、また特に、これらのケースを持ち運ぶ習慣のない人の考え方を変えるものであり、ケース形状の変化を可能とし、汚染物質の使用を少なくし、非常に高い費用便益比率を実現するものである。
【背景技術】
【０００２】
口腔衛生製品のためのケースを製造する当業者に周知であるように、開発された最初のケースは、当該ケース内にゆるく配置または収納される歯ブラシ、練り歯磨き、デンタルリボンまたはフロスを保持するためのものである。特に、本件の発明者によるブラジル特許ＭＵ７８００５７４−４、ＭＵ８２０２２９０−９およびＭＵ８５００７２９−３号明細書には、この最初のケースと同じ概念で作られた改良ケースが記載されているが、これらの改良ケースも、使用の不便さと面倒さとをもたらすものである。さらに、これらは、多くの高価な部品を使用しており、また生物分解されない産業残留物をも発生させる。
【０００３】
ここでの調査によれば、持ち運び用ケースは下記の特許文献に記載されている。
ａ）  米国特許出願（Ｄｅｓ．）第３２８，９７８号明細書。同明細書のケースでは、ケースの一端に一体化デンタルフロスが存在し、内部スペースは、他端にふたが備えられ、歯ブラシ用に使用される。ふたは、ケース内部にアクセスするための単一のふたであり、スペースは、歯ブラシ専用であって、デンタルフロスはケース本体の他端に備えられる。
ｂ）  米国特許出願第３３６，７８２号明細書。同明細書の持ち運び用ケースでは、歯ブラシ、練り歯磨き区画室、デンタルフロスホルダーおよびケースと同形の保護用フロスカバーが組合わされており、物品収容のための内部スペースはなく、本体の一端にデンタルフロスのための固定区画室がある。
ｃ）  ＵＳ５０７８５２６号明細書には、練り歯磨きおよび歯ブラシを収容するためのチューブ状ケースが記載されている。このケースは、下端（ｉｎｆｅｒｉｏｒ  ｅｎｄ）に、デンタルフロスホルダーと練り歯磨きを収容するための四角い管を備えたふたとを有する。物品を収容するための内部スペースは存在せず、本体の一端にデンタルフロスが取り付けられる。
ｄ）  米国特許出願第３６２，３４１号明細書には、四角柱状のケースが記載されている。このケースには、歯ブラシを収容するためのスペースが備えられ、そのカバーおよび反対側のデンタルフロス用区画室が備えられている。物品を収容する内部スペースはなく、ケース本体の一端にデンタルフロスが取り付けられる。
ｅ）  ＵＳ５４１５１８７号明細書には、四角柱状ケースが記載されている。このケースは、一端にデンタルフロスのための区画室、中央にそのカバー、ケースの他端に練り歯磨き用の室を備えている。物品を収容するための内部スペースはなく、本体の一端にデンタルフロスが取り付けられる。
ｆ）  ＵＳ２００２０８８４７４号明細書には、角柱状ケースが記載されている。このケースは、その一端にデンタルフロス、中央に歯ブラシ用のスペースとそのカバー、他端に練り歯磨き用のスペースを備えている。物品を収容するための内部スペースは存在せず、本体の一端にデンタルフロスが取り付けられる。
ｇ）  ＵＳ２００５２１１２６３号明細書には、歯ブラシ用容器が記載されている。この容器は、デンタルフロス区画室と一体化されたねじり通気カバーを有し、また練り歯磨用の区画室を備えた歯ブラシ用の室を有し、一端にふた、他端に固定デンタルフロス区画を有している。物品を収容するための内部スペースを有さず、その本体一端にデンタルフロスが取り付けられる。
ｈ）  ＵＳ２００６２６０６３５号明細書には、歯ブラシを収容するケースが記載されている。このケースは、歯ブラシと反対の端にデンタルフロス区画室を有する。物品を収容する内部スペースを有さず、ケース本体の一端にデンタルフロス区画室を有している。
ｉ）  ＵＳ２００６２８０５４８号明細書には、その歯ブラシ端にデンタルフロス区画室を有するふたが記載されている。物品を収容するための内部スペースは存在せず、ケース本体の一端にデンタルフロス区画室が備えられている。
ｊ）  ＵＳ２００７１１０５０３号明細書には、歯ブラシ用のスペースと反対端のデンタルフロス収容のためのスペースを有するケースが記載されている。物品を収容するための内部スペースは存在せず、ケース本体の一端にデンタルフロス区画室を備えている。
【０００４】
以上に示した持ち運び用ケースの欠点と限界は、スペースが限られていて、歯ブラシを収容するだけであり、練り歯磨き用区画室は備えている場合も備えていない場合もあるが、ケース内部に対しては単一のアクセスふたを使用し、またデンタルフロス区画室は開かず、ケース内部へのアクセスはできない、ということである。
【発明の開示】
【発明が解決しようとする課題】
【０００５】
本発明の目的は、現行のキットの限界と欠点を克服するための、デンタルフロスまたはリボンのためのふた区画室を有する口腔衛生ケースを提供することである。
【課題を解決するための手段】
【０００６】
この克服は、本願の請求項１に係る発明による、その完全に新しい機能性と設計とにより、使用のためのデンタルフロス区画室の開放によるケースの内部へのアクセスを可能にし、長さと内部容積に関するケースの柔軟性を有するようにし、吊るすための付属品を備え、形状変化を可能にし、汚染物質の使用を少なくし、非常に高い費用便益比率を有するようにすることによってなされる。さらに、本発明が提供する利点は、すべての寸法と重量の歯ブラシと練り歯磨きを収容することができるという柔軟性が与えられ、搬送と販売のための梱包寸法を小さくすることができ、十分な環境管理を与えられ、環境汚染物質の使用が最小限に抑えられ、ケース本体に広告を添付できる、ということである。
【０００７】
本発明の最適化持ち運びケースを得るためには、絶え間なしの技術研究と技術調査とが必要であり、そのために、従来とは主要な考え方が異なり、デンタルフロスまたはリボン、練り歯磨きおよび歯ブラシ製品の梱包寸法を小さくすることにより、特に、これを持ち運ぶ習慣のない人の考え方を変えることを目指す。したがって、本発明は、環境汚染する梱包材料を減少させる実用的な方法を提供して、口腔衛生製品を持ち運ぶそのような習慣の創出を目指すものである。
【発明を実施するための最良の形態】
【０００８】
以下、添付の図面を参照しつつ、本発明の可能な構成について説明する。
【０００９】
図面に示すように、本発明の改良されたケースは、閉じているかまたは通常のふたを有する下部（１−Ａ）、広告のためのスペースと蛇腹（ｆｏｌｄｉｎｇ）（１−Ｂ）を有する中央部、および本体（１）と大体同じ寸法と断面の開いた口（１−Ｃ）を有する上部、を有する多角柱状もしくは筒状またはこれらの組合せの本体（１）、ならびに、ケース本体（１）と大体同じ寸法と断面のデンタルフロスふた区画室（２）からなる。この区画室は、止め具（２−Ａ−４）によって口（１−Ｃ）に取り付けられる大体同じ形状のフレーム（２−Ａ）を有し、フレーム（２−Ａ）は、取っ手（２−Ａ−１−Ａ）を有するリング（２−Ａ−１）、フラップ（２−Ｂ−２）に対するヒンジをなす、開口（２−Ａ−３）を有するフラップ（２−Ａ−２）を有する。また、この区画室は、多角柱状もしくは筒状またはこれらの組合せのベース（２−Ｂ）を有し、ベース（２−Ｂ）は、底部が閉じており、頂部が開いていて、中心に固定された取り付けスプール管（２−Ｂ−１）、フラップ（２−Ａ−２）に対するヒンジをなすフラップ（２−Ｂ−２）、フラップ（２−Ｃ−１）に連結されたフラップ（２−Ｂ−３）を有する。また、この区画室は、デンタルフロスクロッシング（ｃｒｏｓｓｉｎｇ）（２−Ｂ−４）のための開口、およびナイフ（４）の取り付けのための開口（２−Ｂ−５）を備えるベース（２−Ｂ）と大体同じ形のふた（２−Ｃ）を有し、ふた（２−Ｃ）は、フラップ（２−Ｂ−３）に連結されたフラップ（２−Ｃ−１）によってベース（２−Ｂ）に連結され、ケースの内部に横方向に配置されている二つのガイド（２−Ｃ−２）を有する。また、この区画室は、通常のスプール（３）、および通常のナイフ（４）を有している。
【００１０】
代替実施形態として、本体（１）は、二つの部分、すなわち前部（１−Ｄ）と後部（１−Ｅ）とに分けることができる。前部（１−Ｄ）は、止め具（１−Ｄ−１）を有し、かつ後部（１−Ｅ）の断面よりも大きな断面を有し、後部（１−Ｅ）は、止め具に嵌合する高さ調節器（１−Ｅ−１）を有し、ケースの内部容積が変えられるようになっている。
【００１１】
このケースは、下記のように使用できる。
１．  物品を保持する。
１．ａ．  デンタルフロスふた区画室（２）を開いて、ケース本体（１）内部へのアクセスができる。
１．ｂ．  歯ブラシ、練り歯磨きその他の物品を保持するために、蛇腹（１−Ｂ）によって、ケースの長さが調節できる。
１．ｃ  デンタルフロスふた区画室が閉じられる。
２．  物品を取り出して使用する。
２．ａ．  デンタルフロスふた区画室（２）をあけて、ケース本体（１）内部にアクセスする。
２．ｂ．  使用のためにデンタルフロスをデンタルふた区画室（２）から引出して切断することができる。
２．ｃ．  歯ブラシ、練り歯磨きその他の物品を、使用のためにケースから取り出すことができる。
２．ｄ．  物品は、使用後、ケース内に保持することができ、デンタルフロスふた区画室（２）を閉じて、この区画室の取っ手（２−Ａ−１−Ａ）または開口（２−Ａ−３）によって吊るすことができ、あるいは吊るさないこともできる。
【００１２】
【図１】本発明の口腔衛生ケースの前部の斜視図であり、デンタルフロスのための区画室が開放され、歯ブラシと練り歯磨きがケースから一部引出されている。
【図２】本発明の口腔衛生ケースの前部の斜視図であり、デンタルフロス区画室が閉じてあり、歯ブラシと練り歯磨きが内部に収容されている。
【図３】本発明のふた区画室の前部の斜視図であり、閉じた状態、デンタルフロスの使用とケース内部の使用とのために開放された状態、およびデンタルフロスロールの取換えのために開放された状態を示す。
【図４】本発明の口腔衛生ケースの前部を示し、デンタルフロスふた区画室が開放され、デンタルフロスロールが取り付けられていない状態を示す。
【図５】本発明のケースの断面図であり、本体とふた区画室との間の連結部の詳細を示す。
【図６】本発明のケース本体の側面図であり、止め具と高さを小さくすることとにより、容積が変えられるということを示している。
【符号の説明】
【００１３】
１  本体
１−Ａ  下部
１−Ｂ  蛇腹
１−Ｃ  口
１−Ｄ  前部
１−Ｄ−１  止め具
１−Ｅ  後部
１−Ｅ−１  高さ調節器
２  ふた区画室
２−Ａ  フレーム
２−Ａ−１  リング
２−Ａ−１−Ａ  取っ手
２−Ａ−２  フラップ
２−Ａ−３  開口
２−Ａ−４  止め具
２−Ｂ  ベース
２−Ｂ−１  取り付けスプール管
２−Ｂ−２  フラップ
２−Ｂ−３  フラップ
２−Ｂ−４  デンタルフロスクロッシング
２−Ｂ−５  開口
２−Ｃ  ふた
２−Ｃ−１  フラップ
２−Ｃ−２  ガイド
３  スプール
４  ナイフ
【図１】
0005476312.tif 000002
【図２】
0005476312.tif 000003
【図３】
0005476312.tif 000004
【図４】
0005476312.tif 000005
【図５】
0005476312.tif 000006
【図６】
0005476312.tif 000007